【事件の表示】
　特願２００４−１１１３４４「遊戯装置」拒絶査定不服審判事件〔平成１６年　７月１５日出願公開、特開２００４−１９５２６８〕について、次のとおり審決する。
【結　論】
　本件審判の請求は、成り立たない。
【理　由】
第１．手続の経緯　 
　本願は、平成５年３月１８日に出願した特願平５−５８７２１号の一部を平成１６年４月５日に新たな出願とするとともに同日付で手続補正がなされ、平成１８年９月８日付の拒絶理由通知に対して同年１１月１３日付で手続補正がなされ、同年１２月２５日付で拒絶査定がなされ、これに対し、平成１９年２月８日付で拒絶査定不服の審判が請求されたものである。
　これに対し、当審において、平成１９年１１月９日付で拒絶の理由が通知され、その指定期間内の平成２０年１月９日に意見書の提出とともに手続補正がなされたものであり、その請求項１乃至３に係る発明は、平成２０年１月９日付手続補正書により補正された明細書及び図面の記載からみて、特許請求の範囲の請求項１乃至３に記載された事項により特定されるものと認められるところ、その請求項１に記載された発明（以下、「本願発明」という。）は、以下のとおりである。
「【請求項１】　外周面に複数のシンボルが描かれた回転体を複数備え、前記複数のシンボルのうち入賞可否を判定するための有効ライン上に停止表示されるシンボルの組合せに応じて支払い数量を決める遊戯装置であって、
　遊戯者に前記複数のシンボルのうち一部のシンボルを表示するための表示窓と、
　前記複数の回転体の各々に対応して配置され、前記複数のシンボルのうち前記表示窓に到来する直前に位置するシンボルに対して光エネルギを与える複数の発光源とを有し、
　前記複数のシンボルのうち組み合わされたときの支払い数量が高い特定シンボルには、前記発光源の光エネルギを受けてから前記表示窓を通過するまでの間前記特定シンボルの発光が少なくとも維持されるような発光処理が施され、
　前記回転体の回転中において１回のみ、前記発光源を発光させ、前記発光源が発光してから前記回転体の数回転だけ前記発光源の発光状態を維持した後、前記発光源を消灯させるように前記発光源を制御する発光源制御手段を有することを特徴とする遊戯装置。」
　
　
第２．先願発明
　当審における平成１９年１１月９日付で通知した拒絶の理由に引用された特願平４−２８０５９３号（特開平６−１０５９４３号公報）（以下、「先願」という。）の願書に最初に添付した明細書又は図面には、以下の事項が記載されている。
　
（ア）「このスロットマシン２は、外周面に複数のシンボルが表された３個のリール１ａ，１ｂ，１ｃを備え、機体の前面には、リール表示窓３・・・などが設けられている。・・・前記リール表示窓３には３個のリール１ａ，１ｂ，１ｃが位置し、このリール表示窓３より各リール１ａ，１ｂ，１ｃの回転状態と、各リール停止時には各リールの外周面に描かれた複数のシンボルのうち３個のシンボルが５本の停止ラインＬ1 〜Ｌ5 上に整列した状態とが透視できるようになっている。」（段落【００１１】〜【００１２】）
（イ）「リール表示窓３の停止ラインＬ1 〜Ｌ5 は、・・・いずれか有効ライン上で予め設定されたシンボルの組合せが成立したとき、所定の枚数のメダルが払い出される。」（段落【００１５】）
（ウ）「前記帯状シート１６のシンボルまたは背景部分の少なくとも一方は、蓄光インキまたは蛍光インキにより描かれている。蓄光インキは、太陽光や電燈光を吸収かつ蓄積し、蓄積した光を徐々に放出させて発光する性質を持った顔料を含有するもので、例えばセリコール蓄光インキ・・・を用いる。また蛍光インキは紫外線を吸収して発光する顔料を含有するもので、例えばＢＬインキ・・・を用いる。この蛍光インキは、通常の照明のもとでは乳白色であるが、紫外線が照射されると種々の色彩に発光する。・・・図３のａでは、背景部１８が通常のインキにより着色され、各シンボル１７，１７が蓄光インキで描かれかつ着色されている。・・・このスロットマシン２の機体の内側には、各リール１ａ，１ｂ，１ｃの外周面に対向する位置にランプが配備される。図４の正面図および図５の側面図に示す例では、シンボル表示窓３の上下位置に、白色蛍光を発する２個の白色ランプ２０，２０が設けてある。・・・前記白色ランプ２０，２０は、・・・各リール１ａ，１ｂ，１ｃを照明する。このとき、各リール１ａ，１ｂ，１ｃの蓄光インキによる着色部分は、この照射光を吸収し蓄積して、色鮮やかに発光する。」（段落【００１８】〜【００２１】）
（エ）「これらランプのうち、白色ランプ２０は電源がオンの状態で常時点灯させるが、紫外線ランプ２１は、後述する制御部２５からの指令に応じて、適時点灯・消灯動作させる。なお白色ランプ２０も紫外線ランプ２１と同様、適時点灯させるようにしてもよい。」（段落【００２８】）
（オ）「なお、上記の例では各リール１ａ，１ｂ，１ｃの回転時および停止時に紫外線ランプ２１を点灯動作させているが、」（段落【００３９】）
　
　上記（ア）〜（オ）の記載によれば、先願には、以下の発明（以下、「先願発明」という。）が記載されている。
「外周面に複数のシンボルが表されたリール１ａ，１ｂ，１ｃを３個備え、各リールの外周面に描かれた複数のシンボルのうち３個のシンボルが５本の停止ラインＬ1 〜Ｌ5 上に整列した状態で各リールが停止し、いずれかの有効ライン上で予め設定されたシンボルの組合せが成立したとき、所定の枚数のメダルが払い出されるスロットマシン２であって、
　機体の前面に設けられ、各リール停止時には３個のシンボルが５本の停止ラインＬ1 〜Ｌ5 上に整列した状態が透視できるようになっているリール表示窓３と、
　スロットマシン２の機体の内側のシンボル表示窓３の上下位置に、３個の各リール１ａ，１ｂ，１ｃの外周面に対向して配備される、各リール１ａ，１ｂ，１ｃを照明する２個の白色ランプ２０，２０とを有し、
　各リール１ａ，１ｂ，１ｃの各シンボル１７，１７は、前記白色ランプ２０，２０の照射光を吸収し蓄積して色鮮やかに発光するように、蓄光インキで描かれかつ着色され、
　各リール１ａ，１ｂ，１ｃの回転時に、前記白色ランプ２０を適時点灯・消灯動作させるように指令する制御部２５を有するスロットマシン２。」
　
　
第３．本願発明と先願発明との対比
（１）先願発明の「複数のシンボルが表されたリール１ａ，２ａ，３ａ」は、本願発明の「複数のシンボルが描かれた回転体」に相当し、以下同様に、
　「３個備え」は、「複数備え」に、
　「スロットマシン２」は、「遊戯装置」に、
　「対向して配備」は、「対応して配置」に、
　「白色ランプ２０，２０」は、「発光源」に、
　「白色ランプ２０，２０の照射光を吸収し蓄積して色鮮やかに発光するように、蓄光インキで描かれかつ着色され」は、「発光処理が施され」に、
　「指令する制御部２５」は、「発光源を制御する発光源制御手段」に、それぞれ相当する。
　
（２）先願発明における、「複数のシンボルのうち３個のシンボルが５本の停止ラインＬ1 〜Ｌ5 上に整列した状態で各リールが停止し、いずれかの有効ライン上で予め設定されたシンボルの組合せが成立したとき、所定の枚数のメダルが払い出される」は、表現上の差異はあるものの、本願発明の、「複数のシンボルのうち入賞可否を判定するための有効ライン上に停止表示されるシンボルの組合せに応じて支払い数量を決める」に、実質的に対応する。
　
（３）先願発明における「リール表示窓３」は、それによって、「各リール停止時には３個のシンボルが５本の停止ラインＬ1 〜Ｌ5 上に整列した状態が透視できるようになっている」ものであるから、本願発明の、「遊戯者に前記複数のシンボルのうち一部のシンボルを表示するための表示窓」に、実質的に対応する。また、先願発明における「シンボル表示窓３」は、上記第２．（ウ）に摘記した記載（「図４の正面図および図５の側面図に示す例では、シンボル表示窓３の上下位置に」）、図４の記載及び付された符号等から、前記「リール表示窓３」を言い換えたものであると認められるから、同様にして、本願発明の、「遊戯者に前記複数のシンボルのうち一部のシンボルを表示するための表示窓」に、実質的に対応する。
　
（４）先願発明のスロットマシン２（遊戯装置）は、「スロットマシン２の機体の内側のシンボル表示窓３の上下位置に、３個の各リール１ａ，１ｂ，１ｃの外周面に対向して配備される、各リール１ａ，１ｂ，１ｃを照明する２個の白色ランプ２０，２０」を有したものである。
　ここで、「白色ランプ２０，２０」（発光源）は、３個の各「リール１ａ，１ｂ，１ｃ」（回転体）の外周面に「対向して配備」（対応して配置）されるものであり、また、「白色ランプ２０，２０」（発光源）が配備される、スロットマシン２（遊戯装置）の機体の内側のシンボル表示窓３（表示窓）の上下位置のうちのいずれかが、「複数のシンボルのうち表示窓に到来する直前に位置するシンボル」に対する位置にあることは当業者にとって自明であり、さらに、当該位置で白色ランプ２０，２０（発光源）が各リール１ａ，１ｂ，１ｃ（回転体）を「照明する」ことが、（各リール１ａ，１ｂ，１ｃに表された）シンボルに対して「光エネルギを与える」ことにつながることも自明である。
　してみると、先願発明は、「発光源」が、複数の「回転体」に「対応して配置」され、「複数のシンボルのうち（前記）表示窓に到来する直前に位置するシンボルに対して光エネルギを与える」ものである点で、本願発明と共通する。
　
　そうすると、本願発明と先願発明とは、
「外周面に複数のシンボルが描かれた回転体を複数備え、前記複数のシンボルのうち入賞可否を判定するための有効ライン上に停止表示されるシンボルの組合せに応じて支払い数量を決める遊戯装置であって、
　遊戯者に前記複数のシンボルのうち一部のシンボルを表示するための表示窓と、
　前記複数の回転体に対応して配置され、前記複数のシンボルのうち前記表示窓に到来する直前に位置するシンボルに対して光エネルギを与える発光源とを有し、
　前記複数のシンボルには、発光処理が施され、
　前記発光源を制御する発光源制御手段を有することを特徴とする遊戯装置。」の点で一致し、以下の点で一応相違する。
　
　相違点Ａ．本願発明は、発光源を「複数」とし、複数の回転体の「各々」に対応して配置した構成を備えているのに対し、先願発明は、前記構成について明らかでない点。
　相違点Ｂ．本願発明は、発光処理が施されるシンボルを、「組み合わされたときの支払い数量が高い特定シンボル」とした構成を備えているのに対し、先願発明は、前記構成について明らかでない点。 
　相違点Ｃ．本願発明は、特定シンボルへの発光処理を、「発光源の光エネルギを受けてから前記表示窓を通過するまでの間前記特定シンボルの発光が少なくとも維持される」ものとした構成を備えているのに対し、先願発明においては、前記構成について明らかでない点。 
　相違点Ｄ．本願発明は、発光源の制御を、「（前記）回転体の回転中において１回のみ、（前記）発光源を発光させ、前記発光源が発光してから前記回転体の数回転だけ前記発光源の発光状態を維持した後、前記発光源を消灯させる」ものとした構成を備えているのに対し、先願発明においては、前記構成について明らかでない点。
　
　
第４．判断
（１）相違点Ａ．についての検討
　複数の回転体に対応する発光源を、分割して「複数」にすることにより、回転体の「各々」に対応させたものとすることは、部材費、スペース効率、消費電力等を総合的に考慮して、当業者が適宜行う設計的事項であり、上記相違点Ａ．に係る構成とすることは課題解決のための具体化手段における微差に過ぎない。
　
（２）相違点Ｂ．についての検討
　遊戯装置の回転体に設ける複数のシンボルのうち、組み合わされたときの支払い数量が高い一部のシンボルを目立たせるために、前記一部のシンボルに他のシンボルと異なる処理を施すことが、例えば、特開平４−９０７７７号公報（特に、第４頁左下欄１１〜１５行）、特開平４−１６１１８２号公報（特に、第４頁右上欄１４行〜同頁左下欄６行）、実願昭６０−１７５５９７号（実開昭６２−８４４８５号）のマイクロフィルム（特に、明細書第７頁６行〜第８頁９行）等に開示されるように従来周知の技術事項であって、この周知技術を採用することによって、周知技術が奏する効果とは別異の新たな効果を奏するものとは認められないので、上記相違点Ｂ．に係る構成とすることは課題解決のための具体化手段における微差に過ぎない。 
　
（３）相違点Ｃ．についての検討
　先願発明の「シンボル」に施された「発光処理」は、上記第２．に示したように、蓄光インキによるものであるが、蓄光インキによって「発光が維持され」ることは当業者にとって自明な事項であり、そして、前記発光が維持される期間については、先願発明が変化に富んだシンボルの表示を行うことを技術的課題にしたものであるのだから、「少なくとも」、（発光した）シンボルが表示されている間、すなわち「表示窓を通過するまでの間」とすることを、当然想定しているといえる。そうすると、先願発明の「シンボル」は、実質的に、「発光源の光エネルギを受けてから（前記）表示窓を通過するまでの間」、「発光が少なくとも維持されるような発光処理が施され」た構成を備えたものである。 
　
（４）相違点Ｄ．について
　先願発明は、上記第２．に示したように、各リールの回転時に、白色ランプ（発光源）を適時点灯・消灯動作させるものであるが、点灯・消灯をどのように制御するかは、遊戯演出上の必要性に応じて当業者が適宜行う設計事項であって、上記相違点Ｄ．に係る構成とすること（回転体の回転中において１回のみ、発光源を発光させ、前記発光源が発光してから前記回転体の数回転だけ前記発光源の発光状態を維持した後、前記発光源を消灯させること）は課題解決のための具体化手段における微差に過ぎない。
　
（５）むすび 
　したがって、本願発明は、先願発明と実質同一である。
　　
　　
第５．むすび 
　以上のとおり、本願発明は、先願発明と実質同一であり、しかも本願発明の発明者が前記先願発明の発明者と同一であるとも、本願出願の時においてその出願人と同一であるとも認められないから、本願発明は特許法第２９条の２の規定により特許を受けることができない。
　したがって、他の請求項に係る発明について検討するまでもなく、本願は拒絶すべきものである。
　
　よって、結論のとおり審決する。